(57)【要約】【課題】トレイとガイドレール間に発生するラットルノイズを長期に亘って確実に抑制することができるディスクチェンジャ用マガジンを提供すること。【解決手段】相対向する内側壁に複数組のガイドレール３，４を有するハウジング１と、このハウジング１内の奥部に配設されたΩ形状の板ばね６と、この板ばね６に係脱可能な係合突部１１を有しハウジング１に引き出し自在に収納された複数のトレイ２とを備え、各トレイ２にディスクＤが保持されるようになっているディスクチェンジャ用マガジンＭにおいて、ガイドレール３の開口端部にテーパ面３ａを形成すると共に、このガイドレール３に沿って摺動するトレイ２の平行部８にテーパ面１２ａを有する凸状段部１２を形成し、トレイ２をハウジング１に収納する時に、板ばね６がトレイ２をハウジング１に引き込む力の反力Ｆがテーパ面１２ａの垂直方向に作用し、この反力Ｆの下向きの分力Ｐによってトレイ２をガイド溝５の下方に位置するガイドレール３の天面に圧接するようにした。【選択図】　　　図１２
2004145908.tif 000002
【特許請求の範囲】
【請求項１】
一側面を開口し相対向する内側壁に複数組のガイドレールが設けられた箱形形状のハウジングと、このハウジング内の奥部に配設されたばね部材と、前記ガイドレールに沿って移動可能な複数のディスク保持用トレイとを備え、前記トレイの収納方向の先端側に係合部が設けられ、この係合部が前記ばね部材に係止されることにより前記トレイを前記ハウジングの内部に収納状態に保持し、前記トレイを前記開口から引き出した時に前記係合部と前記ばね部材との係合が解除されるディスクチェンジャ用マガジンにおいて、
前記ガイドレールに摺動する前記トレイの収納方向の後端側に凸状段部を形成すると共に、この凸状段部と前記ガイドレールの開口端部との少なくとも一方にテーパ部を設け、前記トレイを前記ハウジングに収納した時に、前記凸状段部と前記ガイドレールの開口端部とが当接し、前記係合部が前記ばね部材に係止されることで生じる引き込み力の反力が前記テーパ部に作用することにより、前記トレイを前記ガイドレールの天面または底面に圧接するように構成したことを特徴とするディスクチェンジャ用マガジン。
【請求項２】
請求項１の記載において、前記テーパ部が前記ガイドレールの天面および底面と該ガイドレールの側面との両方に対して傾斜していることを特徴とするディスクチェンジャ用マガジン。
【発明の詳細な説明】
【０００１】
【発明の属する技術分野】
本発明は、複数枚のディスクを保持してディスクチェンジャ本体に装填されるディスクチェンジャ用マガジンに係り、特に、ディスクを保持する複数のトレイがハウジング内に引き出し自在に収納されているディスクチェンジャ用マガジンに関する。
【０００２】
【従来の技術】
図１４は従来より知られているディスクチェンジャの構成図であり、このディスクチェンジャの本体を構成する筐体２０の内部にはマガジンＭの設置領域２１とディスク駆動領域２２とが形成されている。マガジンＭは図１４の紙面直交方向の手前側から筐体２０内に装填され、このマガジンＭには図示せぬ複数のトレイが積層状態で収納されている。各トレイはマガジンＭに対して引き出し自在となっており、個々のトレイにはＣＤやＤＶＤ等のディスクＤが保持されている。一方、ディスク駆動領域２２にはディスク駆動ユニット２３が配設されており、このディスク駆動ユニット２３は図１４の上下方向へ昇降可能であり、この昇降動作によってマガジンＭ内のいずれかのディスクＤが選択される。ディスク駆動ユニット２３には、スピンドルモータ２４およびターンテーブル２５と、ディスクＤの中心をターンテーブル２５に押圧するクランパ２６と、光ピックアップ２７等が搭載されており、光ピックアップ２７はディスクＤの半径方向に移送される。
【０００３】
このように概略構成されたディスクチェンジャにおいて、マガジンＭ内のいずれかのディスクＤを選択して再生または記録する場合は、まず、ディスク駆動ユニット２３が図１４の上下方向へ昇降してマガジンＭ内のいずれかのトレイが選択される。次に、選択されたトレイが図示せぬ移送手段によりマガジンＭから引き出され、このトレイに保持されたディスクＤの中心がターンテーブル２５とクランパ２６間にチャッキングされる。そして、スピンドルモータ２４によりターンテーブル２５とディスクＤが回転駆動され、光ピックアップ２７によりディスクＤの再生または記録が行われる。
【０００４】
従来、この種のディスクチェンジャに使用されるマガジンＭとして、箱形形状のハウジング内に設けられた共通軸に複数のトレイを回転可能に支承し、個々のトレイのディスクＤと干渉しない部位に弾性舌片を一体形成したものが提案されている（例えば、特許文献１参照）。かかる従来のディスクチェンジャ用マガジンＭでは、各トレイがハウジング内に積層状態で収納されている時に、弾性舌片の自由端部が隣接するトレイの板面に圧接されるようになっているため、各トレイがハウジング内でガタ付いて衝突することを弾性舌片の変形によって抑制することができる。したがって、車載用ディスクチェンジャのように外部振動が作用しやすい環境下においても、ハウジング内に収納されたトレイのガタ付きが緩和され、各トレイ同士が衝突することによって発生するラットルノイズと称せられる異音を抑制することができる。
【０００５】
【特許文献１】
特開平７−３７３１５号公報（第４−５頁、図２）
【０００６】
【発明が解決しようとする課題】
前述した従来のディスクチェンジャ用マガジンでは、共通軸に支承された各トレイを回転操作してハウジングから引き出すように構成されているが、ハウジングの相対向する内側壁に複数組のガイドレールを設け、これらガイドレールに沿って各トレイをスライド操作してハウジングから引き出すように構成されたディスクチェンジャ用マガジンも知られている。
【０００７】
このようにトレイをガイドレールに沿って摺動させるタイプのマガジンにおいては、トレイとガイドレールとの間に摺動用のクリアランスが不可欠となるため、トレイに特許文献１に開示されたような弾性舌片を形成して各トレイ同士の衝突を抑制するようにしても、ハウジング内に収納されたトレイに外部振動が加わると、トレイが上記クリアランス内でガタ付いてガイドレールの天面または底面に衝突し、当該部位でラットルノイズが発生するという問題があった。なお、トレイのガイドレールと摺動する部分に弾性舌片を形成し、この弾性舌片の自由端部をガイドレールの天面または底面に圧接させれば、トレイとガイドレールの衝突に起因するラットルノイズの発生を抑制できるが、その場合、トレイの摺動中に常に弾性舌片のテンションが加わるため、トレイのスムーズな収納または引き出し動作が妨げられるという問題が生じる。また、ガイドレールに圧接された弾性舌片は度重なる摺動によって摩耗しやすく、しかも、片持ち梁状の弾性舌片は高温に対するクリープ変形を伴うため、弾性舌片のばね特性が経年的に著しく低下してラットルノイズを抑制できなくなるという問題も生じる。
【０００８】
本発明は、このような従来技術の実情に鑑みてなされたもので、その目的は、トレイとガイドレール間に発生するラットルノイズを長期に亘って確実に抑制することができるディスクチェンジャ用マガジンを提供することにある。
【０００９】
【課題を解決するための手段】
本発明は、ガイドレールに挿入されるトレイの収納方向の後端側に凸状段部を形成すると共に、この凸状段部とガイドレールの開口端部との少なくとも一方にテーパ部を設け、トレイをハウジング内に収納する時に、上記テーパ部とハウジング内に配設したばね部材の引き込み力とを利用して、トレイをガイドレールの天面または底面に圧接するようにした。このような構成を採用すると、トレイがハウジング内に完全に収納されない搬送途中では、トレイをガイドレールに沿ってスムーズに移動することができ、トレイがハウジング内に収納された時だけ、トレイをガイドレールに十分な力で圧接してラットルノイズを確実に抑制することができる。
【００１０】
【発明の実施の形態】
本発明のディスクチェンジャ用マガジンは、一側面を開口し相対向する内側壁に複数組のガイドレールが設けられた箱形形状のハウジングと、このハウジング内の奥部に配設されたばね部材と、前記ガイドレールに沿って移動可能な複数のディスク保持用トレイとを備え、前記トレイの収納方向の先端側に係合部が設けられ、この係合部が前記ばね部材に係止されることにより前記トレイを前記ハウジングの内部に収納状態に保持し、前記トレイを前記開口から引き出した時に前記係合部と前記ばね部材との係合が解除されるディスクチェンジャ用マガジンにおいて、前記ガイドレールに摺動する前記トレイの収納方向の後端側に凸状段部を形成すると共に、この凸状段部と前記ガイドレールの開口端部との少なくとも一方にテーパ部を設け、前記トレイを前記ハウジングに収納した時に、前記凸状段部と前記ガイドレールの開口端部とが当接し、前記係合部が前記ばね部材に係止されることで生じる引き込み力の反力が前記テーパ部に作用することにより、前記トレイを前記ガイドレールの天面または底面に圧接するように構成した。
【００１１】
このように構成されたディスクチェンジャ用マガジンでは、トレイをハウジング内に収納する時に、ばね部材の引き込み力の反力がテーパ部に作用してトレイがガイドレールの天面または底面に圧接されるため、トレイをハウジングから引き出したりハウジング内に収納する途中の搬送時には、トレイをガイドレールに沿ってスムーズに移動することができ、トレイがハウジング内に収納された時だけ、トレイをガイドレールに十分な力で圧接してラットルノイズを確実に抑制することができる。その際、テーパ部はガイドレールの開口端部やトレイの凸状段部に十分な剛性を持つ構造物として形成できるため、弾性舌片に比べるとクリープ変形しにくくなり、上記ラットルノイズを長期に亘って確実に抑制することができる。
【００１２】
上記の構成において、テーパ部をガイドレールの天面および底面と該ガイドレールの側面との両方に対して傾斜させることが好ましく、このような構成を採用すると、トレイが３次元方向で位置規制されるため、ラットルノイズをより確実に抑制することができる。
【００１３】
【実施例】
実施例について図面を参照して説明すると、図１はディスクチェンジャ用マガジンの斜視図、図２は該マガジンの内部構造を示す横断面図、図３は該マガジンに備えられるハウジングの正面図、図４は該ハウジングの縦断面図、図５は該ハウジングに設けられるガイドレールの説明図、図６は図５のＡ−Ａ線に沿う断面図、図７は図５のＢ−Ｂ線に沿う断面図、図８は該マガジンに備えられるトレイの平面図、図９は該トレイの側面図、図１０は該トレイの底面図、図１１は該マガジンの要部を示す斜視図、図１２と図１３はテーパ面の動作説明図である。
【００１４】
本実施例に係るディスクチェンジャ用マガジンは前述したディスクチェンジャ（図１４参照）に装填されて使用されるものであり、図１と図２に示すように、このマガジンＭは、前面を開口した箱形形状のハウジング１と、このハウジング１に引き出し自在に収納された複数のトレイ２とを備えている。
【００１５】
ハウジング１は合成樹脂材料により射出成形されたものであり、図３と図４に示すように、このハウジング１の相対向する左右内側壁には複数組のガイドレール３，４が一体成形されている。各ガイドレール３，４はハウジング１の開口側から奥側（Ｘ１−Ｘ２方向）に延びており、ハウジング１の上下方向（Ｚ１−Ｚ２方向）において、各ガイドレール３，４の間にはそれぞれガイド溝５が形成されている。このガイド溝５によってトレイ２が前後方向（Ｘ１−Ｘ２方向）に案内されるようになっており、本実施例の場合、６枚のトレイ２に対応して６組のガイド溝５が形成されている。また、図２に示すように、ハウジング１内の奥部にはΩ形状にフォーミングされた板ばね６が配設されており、この板ばね６はその自由端側がＺ１−Ｚ２方向で６組に分割されており、これら各組が各ガイド溝５に対応する複数の平面内で独立して変形できるようになっている。
【００１６】
図示右側の各ガイドレール３の前面から底面にかけてテーパ面３ａが形成されており、図５〜図７に示すように、このテーパ面３ａは一組のガイド溝５を含む平面（Ｘ−Ｙ平面）に対してガイドレール３の前面から奥側に向かって角度θ１で傾斜している。また、このテーパ面３ａは上記Ｘ−Ｙ平面に対してガイドレール３の側面からガイド溝５の内側面に向かって角度θ２で傾斜している。
【００１７】
トレイ２は合成樹脂材料により射出成形されたものであり、図８〜図１０に示すように、このトレイ２は、左右一対の平行部７，８と、これら平行部７，８を橋絡する上面板９と、この上面板９の左右両側部に対してＺ２方向へ所定間隔を存して対向する一対の支持片１０と、上面板９の先端から左側の平行部７に沿ってＸ１方向へ突出する係合突部１１とを有している。図２に示すように、トレイ２がハウジング１内に収納された状態において、トレイ２の係合突部１１は板ばね６に係止されるようになっている。また、ディスクＤはトレイ２の上面板９と両支持片１０との間に保持されるようになっており、本実施例の場合、６枚のトレイ２にそれぞれディスクＤを保持可能な６枚対応のディスクチェンジャ用マガジンとなっている。
【００１８】
両平行部７，８はハウジング１のガイド溝５内にＸ１−Ｘ２方向へ摺動自在に挿入されており、ガイド溝５の高さ寸法Ｈ１（図４参照）を平行部７，８の高さ寸法Ｈ２（図１２参照）よりも若干大きく設定することにより、平行部７，８とガイド溝５との間に摺動をスムーズにするためのクリアランスＣが確保されている。また、右側の平行部８の前方（Ｘ２方向）の端部側には凸状段部１２が形成されており、この凸状段部１２の高さ寸法Ｈ３は前述したガイド溝５の高さ寸法Ｈ１よりも大きく設定されている。図１１に示すように、凸状段部１２のＸ１方向の端面にはテーパ面１２ａが形成されており、トレイ２がハウジング１内に収納された時点で、凸状段部１２のテーパ面１２ａとガイドレール３のテーパ面３ａが当接するようになっている。
【００１９】
上面板９の左右両側部には一対の弾性片１３が片持ち梁状に一体形成されており、これら弾性片１３の自由端には突出部１３ａが形成されている。また、両支持片１０には加圧部１４が突出形成されており、それぞれの突出部１３ａと加圧部１４はＺ１−Ｚ２方向の同一位置に形成されている。トレイ２がハウジング１から引き出された無負荷状態において、弾性片１３は上面板９と同一面上に延びてトレイ２に保持されたディスクＤと非接触であるが、トレイ２がハウジング１内に収納されると、突出部１３ａがその上方に位置するトレイ２の加圧部１４に押圧されることにより、弾性片１３は上面板９に対して下方へ変形する。これによって弾性片１３がディスクＤの周縁部に当接し、ディスクＤはトレイ２にガタ付きを生じることなく安定的に保持される。さらに、左側の平行部７の内部には板ばね１５が取り付けられており、この板ばね１５がディスクＤの周縁部に弾接することにより、ディスクＤが不用意にトレイ２から飛び出さないようになっている。
【００２０】
このように構成されたディスクチェンジャ用マガジンＭにおいて、ハウジング１から引き出した個々のトレイ２にディスクＤを保持した後、このトレイ２の平行部７，８をハウジング１のガイド溝５に挿入してＸ１方向へ押し込むと、係合突部１１の先端が板ばね６に当接する。この状態からトレイ２をＸ１方向へさらに押し込むと、係合突部１１が板ばね６を押し拡げて内部に入り込むことにより、板ばね６にトレイ２をＸ１方向へ引き込む力が発生する。その際、ガイド溝５の上方に位置するガイドレール３に形成されたテーパ面３ａとトレイ２の凸状段部１２に形成されたテーパ面１２ａとが当接すると、図１２に示すように、板ばね６によるトレイ２をＸ１方向へ引き込む力の反力Ｆがテーパ面１２ａの垂直方向に与えられ、下向き（Ｚ２方向）の分力Ｐが生じる。また、テーパ面３ａはガイド溝５の内側面から開放端に向かって拡がるように傾斜しているため、図１３に示すように、板ばね６による引き込む力の反力Ｆが左向き（Ｙ２方向）の分力Ｑとして生じる。その結果、トレイ２がハウジング１内に収納された時点で、トレイ２は上記分力Ｐによってガイド溝５の下方に位置するガイドレール３の天面に圧接されると共に、上記分力Ｑによって反対側のガイドレール４間に形成されたガイド溝５の内側面に圧接される。
【００２１】
したがって、ハウジング１内に全てのトレイ２を収納したマガジンＭが図１４に示す筐体２０内に装填された状態において、車両振動等の外部振動が作用した場合であっても、トレイ２がハウジング１のガイド溝５内で上記分力Ｐ，Ｑによって上下方向と左右方向に規制されていると共に、テーパ面１２ａに板ばね６の引き込み力の反力Ｆが作用しているため、トレイ２とガイドレール３，４間のラットルノイズは３次元方向で防止されている。
【００２２】
また、マガジンＭ内のいずれかのディスクＤを選択して再生または記録する場合は、前述したように選択されたトレイ２がハウジング１から引き出され、このトレイ２に保持されたディスクＤがチャッキングされた直後に、引き出されたトレイ２がハウジング１に戻されて収納状態となる。この場合もマガジンＭ内にディスクＤを収納する時と同様に、トレイ２の係合突部１１が板ばね６を押し拡げて内部に入り込み、板ばね６にトレイ２をＸ１方向へ引き込む力が発生する過程で、テーパ面１２ａの当接部分に下向き（Ｚ２方向）の分力Ｐと左向き（Ｙ２方向）の分力Ｑが発生するため、トレイ２がハウジング１内に収納された時点で、トレイ２とガイドレール３，４間のラットルノイズが３次元方向で防止される。
【００２３】
このように本実施例に係るディスクチェンジャ用マガジンＭでは、引き出されたトレイ２をハウジング１に収納する時に、板ばね６がトレイ２をハウジング１に引き込む力の反力Ｆがテーパ面１２ａの垂直方向に作用し、この反力Ｆの下向き（Ｚ２方向）の分力Ｐによってトレイ２をガイド溝５の下方に位置するガイドレール３の天面に圧接することができる。したがって、トレイ２をハウジング１から引き出したりハウジング２内に収納する途中の搬送時には、平行部７，８とガイド溝５との間に確保されたクリアランスＣによりトレイ２をＸ１−Ｘ２方向へスムーズに移動することができ、トレイ２がハウジング１内に収納された時だけ、トレイ２をガイドレール３に十分な力で圧接してラットルノイズを確実に抑制することができる。その際、テーパ面３ａ，１２ａはガイドレール３の開口端やトレイ２の凸状段部１２に十分な剛性を持つ構造物として形成できるため、ラットルノイズを長期に亘って確実に抑制することができる。
【００２４】
また、テーパ面３ａをガイド溝５の内側面から開放端に向かって拡がるように傾斜させたため、板ばね６による引き込み力の反力Ｆの左向き（Ｙ２方向）の分力Ｑによってトレイ２を水平方向にも位置規制することができる。その結果、トレイ２がハウジング１内に収納された時点で、トレイ２を３次元方向（上下方向と左右方向および前後方向）に位置規制してより確実にラットルノイズを抑制することができる。
【００２５】
なお、上記実施例では、ガイドレール３の開口端とトレイ２の凸状段部１２の両方にテーパ面３ａ，１２ａを形成した場合について説明したが、いずれか一方のテーパ面３ａ，１２ａを省略することも可能である。
【００２６】
また、板ばね６と係合突部１１の凹凸関係は上記実施例と逆でも良く、つまり、トレイ２のＸ１方向端面にΩ形状の係合凹部を形成し、板ばね６の自由端部がこの係合凹部に嵌入することでトレイ２の引き込み力を発生させるようにしても良い。
【００２７】
また、上記実施例では、トレイ２の上面側に突出するように凸状段部１２とテーパ面１２ａを形成し、ガイドレール３の底面側にテーパ面３ａを形成した場合について説明したが、トレイ２の底面側に凸状段部およびそのテーパ面を設け、ガイドレール３の天面側にテーパ面を設けるようにしても良い。この場合、トレイ２は収納時にその上側に位置するガイドレール３の底面に圧接されることになる。
【００２８】
【発明の効果】
本発明は、以上説明したような形態で実施され、以下に記載されるような効果を奏する。
【００２９】
ガイドレールに摺動するトレイの収納方向の後端側に凸状段部を形成すると共に、この凸状段部とガイドレールの開口端部との少なくとも一方にテーパ部を設け、トレイをハウジング内に収納する時に、上記テーパ部とハウジング内に配設したばね部材の引き込み力とを利用して、トレイをガイドレールの天面または底面に圧接するようにしたので、トレイがハウジング内に完全に収納されない搬送途中では、トレイをガイドレールに沿ってスムーズに移動することができ、トレイがハウジング内に収納された時だけ、トレイをガイドレールに十分な力で圧接してラットルノイズを確実に抑制することができる。その際、テーパ部はガイドレールの開口端部やトレイの凸状段部に十分な剛性を持つ構造物として形成できるため、トレイとガイドレール間に発生するラットルノイズを長期に亘って確実に抑制可能なディスクチェンジャ用マガジンを実現することができる。
【図面の簡単な説明】
【図１】本発明の実施例に係るディスクチェンジャ用マガジンの斜視図である。
【図２】該マガジンの内部構造を示す横断面図である。
【図３】該マガジンに備えられるハウジングの正面図である。
【図４】該ハウジングの縦断面図である。
【図５】該ハウジングに設けられるガイドレールの説明図である。
【図６】図５のＡ−Ａ線に沿う断面図である。
【図７】図５のＢ−Ｂ線に沿う断面図である。
【図８】該マガジンに備えられるトレイの平面図である。
【図９】該トレイの側面図である。
【図１０】該トレイの底面図である。
【図１１】該マガジンの要部を示す斜視図である。
【図１２】テーパ面の動作説明図である。
【図１３】テーパ面の動作説明図である。
【図１４】該マガジンが使用されるディスクチェンジャの構成図である。
【符号の説明】
１　ハウジング
２　トレイ
３，４　ガイドレール
３ａ　テーパ面（テーパ部）
５　ガイド溝
６　板ばね（ばね部材）
７，８　平行部
９　上面板
１０　支持片
１１　係合突部（係合部）
１２　凸状段部
１２ａ　テーパ面（テーパ部）
１３　弾性片
１４　加圧部
Ｍ　ディスクチェンジャ用マガジン
Ｄ　ディスク
【図１】
2004145908.tif 000003
【図２】
2004145908.tif 000004
【図３】
2004145908.tif 000005
【図４】
2004145908.tif 000006
【図５】
2004145908.tif 000007
【図６】
2004145908.tif 000008
【図７】
2004145908.tif 000009
【図８】
2004145908.tif 000010
【図９】
2004145908.tif 000011
【図１０】
2004145908.tif 000012
【図１１】
2004145908.tif 000013
【図１２】
2004145908.tif 000014
【図１３】
2004145908.tif 000015
【図１４】
2004145908.tif 000016